(57)【要約】  砂を撥水コーティングすることで形成された撥水砂（１）と、撥水砂の中で根（２ｂ）を伸ばして育成する植物（２ａ）を有し、撥水砂内に複数に分散して点在した保水層（３）を有し、根が伸長によって少なくとも一つ以上の保水層に到達するよう構成している。
2012164874.tif 000002
【特許請求の範囲】
【請求項１】
砂の表面を撥水コーティングした撥水砂で構成される撥水砂層と、
前記撥水砂層の内部に、前記撥水砂層の深さ方向に点在して配置されかつ水分を保持可能な複数の保水層と、
前記撥水砂層内に根を有し、前記根が前記複数の保水層の間を繋ぐように、前記保水層に接触している植物とを備える、植物育成構造。
【請求項２】
前記複数の保水層のうち、前記植物の前記根が接触している前記保水層には、前記撥水砂層の外部から前記植物に供給されて前記植物の前記根を伝って移動した水分が保持されている、請求項１に記載の植物育成構造。
【請求項３】
前記保水層には、肥料となる成分が含まれている、請求項１又は２に記載の植物育成構造。
【請求項４】
前記保水層の前記水分には、肥料となる成分が含まれている、請求項１〜３のいずれか１つに記載の植物育成構造。
【請求項５】
前記保水層は、撥水コーティングしていない砂で構成されている、請求項１〜４のいずれか１つに記載の植物育成構造。
【請求項６】
前記各保水層が、前記深さ方向に対して、下向き凸の円弧状に形成されている、請求項１〜５のいずれか１つに記載の植物育成構造。
【請求項７】
前記保水層が、前記深さ方向に対して、点在する層状に形成されている、請求項１〜５のいずれか１つに記載の植物育成構造。
【請求項８】
前記撥水砂層の表面の前記植物を植えた部分に、水分供給用の凹部を有している、請求項１〜７のいずれか１つに記載の植物育成構造。
【請求項９】
前記撥水砂層は、前記砂の表面を撥水コーティングした前記撥水砂に加えて、撥水コーティングしていない砂を混合して構成されている、請求項１〜８のいずれか１つに記載の植物育成構造。
【請求項１０】
砂の表面を撥水コーティングした撥水砂で構成される撥水砂層と、
前記撥水砂層の内部に、前記撥水砂層の深さ方向に点在して配置されかつ水分を保持可能な複数の保水層とを有する土壌であり、
前記保水層は、前記撥水砂層内の植物の根が前記複数の保水層の間を繋ぐように伸びて接触し、前記撥水砂層の外部から前記植物に供給されて前記植物の前記根を伝って移動した水分を、前記保水層で保持される、植物育成用土壌。
【請求項１１】
前記撥水砂層は、前記砂の表面を撥水コーティングした前記撥水砂に加えて、撥水コーティングしていない砂を混合して構成されている、請求項１０に記載の植物育成用土壌。
【発明の詳細な説明】
【技術分野】
【０００１】
本発明は、撥水効果を有する砂を用いた水耕栽培に使用可能な植物育成構造及び植物育成用土壌に関するものである。
【背景技術】
【０００２】
地球環境レベルで土壌を人類にとって望ましいものにするために改良を行う土壌改良技術に関して、食糧危機の観点から農作物が育ち易く、生産効率を向上できるように土壌構造を改良する試みが行われている。特に、砂漠化した土地において、不足しがちな水分を保持するための工夫として、現地に多く存在する砂自身を撥水コーティングしたものを活用する土壌改良に関する考案があった。【０００３】
従来の土壌改良の一例としては、保水剤を有する土壌上に保水剤を含有しない土壌層を介して疎水性粒子からなる疎水層を有するものが考案されている（例えば、特許文献１参照）。図８Ａに示すように、保水剤を有する保水剤層５０の上に通常土壌５１を設け、その上に水分蒸発を防ぐため疎水層５２を構成している。また、図８Ｂに示すように、図８Ａの構成の最上部に通常土壌５１を設ける、或いは保水剤層５０の上に疎水層５２を有し、その上に通常土壌５１を有する構成も記載されている。通常土壌５１の厚みは１０〜１００ｍｍである。そして、図８Ｃに示すように、疎水層５２の内部に疎水層５２を貫通して部分的に疎水性を有しない通常土壌５１を有する構成もあった。保水剤層５０の上に疎水層５２を設けて蒸発防止でき、さらに疎水層５２の上に通常土壌層５１があることで、疎水層５２を太陽光又は風から守ることができる構成である。
【先行技術文献】
【特許文献】
【０００４】
【特許文献１】特許第３０５７３０４号公報
【発明の概要】
【発明が解決しようとする課題】
【０００５】
しかしながら、前述した構成の土壌構造にも課題がある。【０００６】
特許文献１の方法では、疎水層５２が存在するために、地表面３０から水を注いだ場合に、保水剤層５０にまで水分が到達し難い欠点を基本的に有する。特許文献１では、図８Ｃに示したように、疎水層５２の内部に、又は、疎水層５２を貫通して、部分的に疎水性を有しない通常土壌５１を有しており、例えば、植物を植える用途に用いた場合に、その土壌表面に植物を植える限定された部分のみ疎水性を除くことが効果的な場合がある。この場合には、地表面３０から水を注いだ場合も、極めて速く土壌に水が浸透し、疎水層５２を通過、或いは回避して保水剤に水が到達して保持されることが可能である。【０００７】
しかし、この場合にも、通常土壌５１又は保水剤層５０へ、植物が必要とする適切な量の水分のみを到達させて保持するのは困難で、給水する量の正確なコントロールが必要となる欠点がある。給水が多過ぎても通常土壌５１に無駄に吸収され、或いは過剰な水分が保水剤層５０上に維持されるために、食物に適切に空気が供給されずに、根腐れが生じる可能性がある。逆に、疎水層５２を貫通する水分量コントロールが不十分なために例えば、水分が不足すると、植物は適切には生育しないと言う欠点がある。【０００８】
本発明は、前記従来の課題を解決するもので、必要最低限の水分を供給でき、植物の根への空気供給も可能な植物育成構造及び植物育成用土壌を提供することを目的とする。
【課題を解決するための手段】
【０００９】
前記目的を達成するために、本発明は以下のように構成する。【００１０】
本発明の１つの態様によれば、砂の表面を撥水コーティングした撥水砂で構成される撥水砂層と、
前記撥水砂層の内部に、前記撥水砂層の深さ方向に点在して配置されかつ水分を保持可能な複数の保水層と、
前記撥水砂層内に根を有し、前記根が前記複数の保水層の間を繋ぐように、前記保水層に接触している植物とを備える、植物育成構造を提供する。【００１１】
本発明の別の態様によれば、砂の表面を撥水コーティングした撥水砂で構成される撥水砂層と、
前記撥水砂層の内部に、前記撥水砂層の深さ方向に点在して配置されかつ水分を保持可能な複数の保水層とを有する土壌であり、
前記保水層は、前記撥水砂層内の植物の根が前記複数の保水層の間を繋ぐように伸びて接触し、前記撥水砂層の外部から前記植物に供給されて前記植物の前記根を伝って移動した水分を、前記保水層で保持される、植物育成用土壌を提供する。【００１２】
これらの概括的かつ特定の態様は、システム、方法、並びに、システム及び方法の任意の組み合わせにより実現してもよい。
【発明の効果】
【００１３】
本発明の前記発明にかかる植物育成構造及び植物育成用土壌によれば、生育速度が異なる個々の植物に個別対応して、必要最低限の水分を供給でき、植物の根への空気供給も可能となる。その結果、高効率で高品質な水耕栽培を可能とすることができる。
【図面の簡単な説明】
【００１４】
本発明のこれらと他の目的と特徴は、添付された図面についての実施形態に関連した次の記述から明らかになる。この図面においては、
【図１Ａ】図１Ａは、本発明の第１実施形態における植物育成構造の構成において、水分を供給した後の状態を示す断面図、
【図１Ｂ】図１Ｂは、図１Ａの状態よりも植物の根が伸びた状態における、本発明の第１実施形態における植物育成構造の構成を示す断面図、
【図１Ｃ】図１Ｃは、図１Ｂの状態よりも植物の根が伸びた状態における、本発明の第１実施形態における植物育成構造の構成を示す断面図、
【図１Ｄ】図１Ｄは、本発明の第１実施形態における植物育成構造の構成において、水分を供給する前の状態を示す断面図、
【図１Ｅ】図１Ｅは、本発明の第１実施形態の変形例における植物育成構造の構成において、水分を供給する前の状態を示す断面図、
【図１Ｆ】図１Ｆは、図１Ｅの本発明の第１実施形態の変形例における植物育成構造の構成において、水分を供給した後の状態を示す断面図、
【図２Ａ】図２Ａは、本発明の第１実施形態の変形例における植物育成構造の断面円弧状の保水層構成を示した断面図、
【図２Ｂ】図２Ｂは、本発明の第１実施形態とその変形例との組み合わせにおける植物育成構造の保水層構成を示した断面図、
【図３】図３は、本発明の第１実施形態の別の変形例における植物育成構造の層状の保水層構成を示した断面図、
【図４】図４は、本発明の第１実施形態における植物育成構造の基本原理の説明のための実験装置を示した図、
【図５Ａ】図５Ａは、本発明の第１実施形態における植物育成構造の基本原理の説明のための実験装置を示した図、
【図５Ｂ】図５Ｂは、本発明の第１実施形態における植物育成構造の基本原理の説明のための実験装置を示した図、
【図５Ｃ】図５Ｃは、本発明の第１実施形態における植物育成構造の基本原理の説明のための実験装置を示した図、
【図６】図６は、本発明の第１実施形態における植物育成構造の基本原理説明のための実験装置を示した断面図、
【図７Ａ】図７Ａは、本発明の第１実施形態における植物育成構造の植物を使用した評価結果に関する実施例を示す説明図、
【図７Ｂ】図７Ｂは、本発明の第１実施形態における植物育成構造の植物を使用した評価結果に関する実施例を示す説明図、
【図７Ｃ】図７Ｃは、本発明の第１実施形態における植物育成構造の植物を使用した評価結果に関する実施例を示す説明図、
【図７Ｄ】図７Ｄは、従来の水補給のイメージ図、
【図７Ｅ】図７Ｅは、本発明の前記態様の特徴の一つである「必要最低限の水分を供給でき、植物の根への空気供給も可能とすること。」を補足説明するための、本発明の水補給のイメージ図、
【図８Ａ】図８Ａは、従来の撥水砂を使用して保水、及び水分の蒸発防止をする土壌の構成を示した図、
【図８Ｂ】図８Ｂは、従来の撥水砂を使用して保水、及び水分の蒸発防止をする土壌の構成を示した図、
【図８Ｃ】図８Ｃは、従来の撥水砂を使用して保水、及び水分の蒸発防止をする土壌の構成を示した図である。
【発明を実施するための形態】
【００１５】
以下に、本発明にかかる実施の形態を図面に基づいて詳細に説明する。
【００１６】
以下、図面を参照して本発明における実施形態を詳細に説明する前に、本発明の種々の態様について説明する。
【００１７】
本発明の第１態様によれば、砂の表面を撥水コーティングした撥水砂で構成される撥水砂層と、
前記撥水砂層の内部に、前記撥水砂層の深さ方向に点在して配置されかつ水分を保持可能な複数の保水層と、
前記撥水砂層内に根を有し、前記根が前記複数の保水層の間を繋ぐように、前記保水層に接触している植物とを備える、植物育成構造を提供する。
【００１８】
前記第１態様によれば、生育速度が異なる個々の植物に個別対応して、必要最低限の水分を供給でき、植物の根への空気供給も可能となる。その結果、高効率で高品質な水耕栽培を可能とすることができる。
【００１９】
本発明の第２態様によれば、前記複数の保水層のうち、前記植物の前記根が接触している前記保水層には、前記撥水砂層の外部から前記植物に供給されて前記植物の前記根を伝って移動した水分が保持されている、第１の態様に記載の植物育成構造を提供する。
【００２０】
前記第２態様によれば、生育速度が異なる個々の植物に個別対応して、必要最低限の水分を供給でき、植物の根への空気供給も可能となる。水分を供給しない時間帯でも保水層には水分が保持されているので、植物の根への空気供給との両立も可能であり、その結果、高効率で高品質な水耕栽培を可能とすることができる。
【００２１】
本発明の第３態様によれば、前記保水層には、肥料となる成分が含まれている、第１又は２の態様に記載の植物育成構造を提供する。
【００２２】
前記第３態様によれば、植物の生育速度に対応して、必要最低限の、水分と肥料とを植物に供給でき、植物の根への空気供給も可能とすることができる。その結果、高効率で高品質な水耕栽培を可能とすることができる。
【００２３】
本発明の第４態様によれば、前記保水層の前記水分には、肥料となる成分が含まれている、第１〜３のいずれか１つの態様に記載の植物育成構造を提供する。
【００２４】
前記第４態様によれば、植物の生育速度に対応して、必要最低限の、水分と肥料とを植物に供給でき、植物の根への空気供給も可能とすることができる。その結果、高効率で高品質な水耕栽培を可能とすることができる。
【００２５】
本発明の第５態様によれば、前記保水層は、撥水コーティングしていない砂で構成されている、第１〜４のいずれか１つの態様に記載の植物育成構造を提供する。
【００２６】
前記第５態様によれば、保水層を撥水コーティングしていない砂で構成することにより、保水機能（言い換えれば、吸水機能）を有して、保水機能を発揮することができる。
【００２７】
本発明の第６態様によれば、前記各保水層が、前記深さ方向に対して、下向き凸の円弧状に形成されている、第１〜５のいずれか１つの態様に記載の植物育成構造を提供する。
【００２８】
前記第６態様によれば、植物を複数ある場合、個々の植物に対して、平面的に概略同心円状に伸長する根への対応が可能で有り、かつ、根の生育方向がランダムで予想ができない場合にも、根が保水層を確実に通過するので、有効である。
【００２９】
本発明の第７態様によれば、前記保水層が、前記深さ方向に対して、点在する層状に形成されている、第１〜５のいずれか１つの態様に記載の植物育成構造を提供する。
【００３０】
前記第７態様によれば、根が保水層を確実に通過して伸長することが可能となる。
【００３１】
本発明の第８態様によれば、前記撥水砂層の表面の前記植物を植えた部分に、水分供給用の凹部を有している、第１〜７のいずれか１つの態様に記載の植物育成構造を提供する。
【００３２】
前記第８態様によれば、水分供給用の凹部を有しているので、凹部内に水分を一時的に保持しやすくすることができる。すなわち、例えば、給水時に、例えばジョウロなどで凹部、或いは接地にめがけて給水することにより、凹部内に水分を安定して保持しやすくすることができる。さらに、例えば、植物の葉等の上部に水を散水すれば、葉から茎に沿って凹部に水分が集めることが容易に実現でき、凹部内に水分を安定して保持しやすくすることができる。
【００３３】
本発明の第９態様によれば、前記撥水砂層は、前記砂の表面を撥水コーティングした前記撥水砂に加えて、撥水コーティングしていない砂を混合して構成されている、第１〜８のいずれか１つの態様に記載の植物育成構造を提供する。
【００３４】
前記第９態様によれば、前記撥水砂層は、前記砂の表面を撥水コーティングした前記撥水砂に加えて、撥水コーティングしていない砂を混合して構成しても、撥水砂のみを使用する場合と同様の効果が得られる。
【００３５】
本発明の第１０態様によれば、砂の表面を撥水コーティングした撥水砂で構成される撥水砂層と、
前記撥水砂層の内部に、前記撥水砂層の深さ方向に点在して配置されかつ水分を保持可能な複数の保水層とを有する土壌であり、
前記保水層は、前記撥水砂層内の植物の根が前記複数の保水層の間を繋ぐように伸びて接触し、前記撥水砂層の外部から前記植物に供給されて前記植物の前記根を伝って移動した水分を、前記保水層で保持される、植物育成用土壌を提供する。
【００３６】
前記第１０態様によれば、生育速度が異なる個々の植物に個別対応して、必要最低限の水分を供給でき、植物の根への空気供給も可能となる。その結果、高効率で高品質な水耕栽培を可能とすることができる。
【００３７】
本発明の第１１態様によれば、前記撥水砂層は、前記砂の表面を撥水コーティングした前記撥水砂に加えて、撥水コーティングしていない砂を混合して構成されている、第１０の態様に記載の植物育成用土壌を提供する。
【００３８】
前記第１１態様によれば、撥水砂層は、前記砂の表面を撥水コーティングした前記撥水砂に加えて、撥水コーティングしていない砂を混合して構成しても、撥水砂のみを使用する場合と同様の効果が得られる。
【００３９】
以下、本発明の実施の形態について、図面を参照しながら説明する。
【００４０】
（第１実施形態）
図１Ａ〜図１Ｄは、本発明の第１実施形態における、水分及び肥料供給装置（又は、水分供給装置）としても機能する植物育成構造の構成を示した図である。
【００４１】
図１Ａ〜図１Ｄにおいて、植物育成構造は、撥水砂層１と、保水層３と、植物２ａとを備えて構成している。植物２ａとしては、撥水砂層１の中で根２ｂを伸ばして育成するものなら任意のものでよく、例えば、大根又は人参などの根菜などが例示できる。撥水砂層１と保水層３とで植物育成用土壌を構成している。
【００４２】
撥水砂層１は、砂を撥水コーティングすることで形成されている。植物２ａを植えた部分には、水分供給用の凹部１ｂを形成して、水分３１を一時的に保持しやすくするのが好ましい（図１Ｄ参照）。撥水コーティング砂である撥水砂は、水を通し難いだけではなく、砂の群の表面を水分が転がる傾向がある。砂の群では、その表面が完全に水平の場合が実質上少ないためである。そこで、水分供給用の凹部１ｂを形成して、水分３１を安定に保持しやすくするのと同時に、給水時（水をまくとき）にも好都合である。すなわち、給水時に、例えばジョウロなどで凹部１ｂ、或いは接地２ｃ（後述する図２Ａに示している）にめがけて給水するのが、効率の良い給水方法である。が、さらに植物２ａの葉等の上部に水を散水すれば、葉から茎に沿って凹部１ｂに水分が集めることが容易に実現できるので、好ましい。
【００４３】
また、水分供給用の凹部１ｂを単に凹部として形成したままにするのではなく、その凹部１ｂ内に水分を保持可能な砂、例えば、撥水コーティングされていない通常砂（撥水コーティングしていない砂）３Ｚを入れて、保水機能を持たせるようにしてもよい（図１Ｅ及び図１Ｆ参照）。このようにすれば、水分が風等で転がって逃げたり、蒸発したりするのを防止することができる。なお、通常砂に水分が吸着したままであるため、その上部の根の根腐れの懸念、又は、その部分に残った水分とか肥料が、肝心の根に行かずに効率が悪いと言う側面も考えられる。そこで、このように凹部１ｂに通常砂３Ｚを入れることにより、水分が長時間にわたり残留したり、根２ｂへの水分供給が進まない場合には、前述のように凹部１ｂに通常砂３Ｚを入れず、凹部１ｂに水分をそのまま供給する方法が良い場合も有る。このため、通常砂３Ｚの水はけの度合、根２ｂでの給水速度、又は、植物２ａが必要とする水分量に応じて、凹部１ｂに通常砂３Ｚを入れるか否かを適切に選択することが必要である。場合によっては、凹部１ｂへの通常砂３Ｚを入れる量を加減したり、凹部１ｂへ入れた通常砂３Ｚの上面が凹の形状となっている状態であることが好ましい場合もある。
【００４４】
保水層３は、保水機能（言い換えれば、吸水機能）を有して、撥水砂層１内に、撥水砂層１の深さ方向に、複数に分散して点在（混在とは異なる。）している。図１Ａ〜図１Ｄでは、黒い保水層３は既に水分を保持している保水層３であり、薄い保水層３は、水分を保持可能な保水層３である。保水層３の配置箇所は任意であり、例えばランダムに配置したとしても、地表面３０から撥水砂層１内にしみ込んだ水分を保水層３で少量ながら保持することができる。この結果、その保水層３の少量の水分を目掛けて、或いは植物２ａ本来の性質として主に鉛直下方に向け伸長しつつも広がりも有して、植物２ａの根２ｂが育成していくことになる。すると、植物２ａの根２ｂが保水層３に到達して接触するため、複数の保水層３の間を繋ぐようになる。このため、保水層３の配置箇所としては、その深さ方向に点在さえしておれば、特に、限定されることはない。なお、植物２ａの根２ｂは、撥水砂層１に配置されている保水層３のうち、少なくとも２つの保水層３の間を繋ぐように配置されていれば良い。また、植物２ａの根２ｂは、撥水砂層１に配置されている全ての保水層３の間を繋ぐように配置されていても良い。保水層３は、単に撥水コーティングしていない砂のみから構成して保水機能を持たせる場合、粘土質も含めた一般的な土から構成して保水機能を持たせる場合、撥水砂を含めて、これらが混合されて構成して保水機能を持たせる場合、保水性を有するポリマー材料等で構成して保水機能を持たせる場合、さらに植物の生育に必要な肥料を含ませて構成して保水機能を持たせる場合、又は、これらの場合の任意の場合を組み合わせて構成して保水機能を持たせる場合などが考えられる。
【００４５】
保水層３に、植物２ａの根２ｂが伸長によって到達すると、植物２ａの撥水砂層１の外に面する部分（例えば、地表面３０）に供給された水分３１が、根２ｂの表面に沿って撥水砂層１中を保水層３まで給水路４に示すように移動し、保水層３で保水されることになる。多数の保水層３のうち、水分が移動して保持されている保水層３は、黒く塗りつぶしている（符号の３Ａを参照）。保水層３としては、２〜３日程度、水分を保持していることが好ましい。保水層３で保水された水分は、当該保水層３に接触している根２ｂにより吸水される。なお、このように植物２ａの根２ｂにより給水路４を構成することができるのは、植物２ａの根２ｂの表面は親水性であることを利用するものである。
【００４６】
図２Ａには、保水層３が、根２ｂの伸長方向と垂直な方向に、深さ方向で下向き凸の円弧状の保水層３Ｂとして構成されている。保水層３Ｂを、地上表面に露出している植物２ａの接地部２ｃを概略中心とした、縦断面として円弧状に構成することで、植物２ａの根２ｂが垂直下方（深さ方向の下向き）に伸長していくと同時に、水平方向への広がりも考慮して、保水層３が根２ｂの生育に応じて、根２ｂが保水層３Ｂを通過する確率が高まる構成である。図２Ａでは、深さ方向で深くなるにつれて、円弧状の保水層３Ｂが徐々に大きくなるように配置されているが、これに限られるものではない。このように、深さ方向で深くなるにつれて円弧状の保水層３Ｂが徐々に大きくなるように配置すれば、植物２ａの根２ｂが深さ方向で深くなるにつれて大きく広がって伸びても、保水層３Ｂに接触する可能性を高めることができる。
【００４７】
図２Ｂは、図１Ａの撥水砂層１内に、撥水砂層１の深さ方向に、複数に分散して点在した保水層３と、図２Ａの根２ｂの伸長方向と垂直な方向に、深さ方向で下向き凸の円弧状の保水層３Ｂとを組み合わせた例である。保水層３と保水層３Ｂとの両方の機能を有するものである。
【００４８】
また、図３には、保水層３が、根２ｂの伸長と垂直方向（深さ方向）にかつ水平方向に、点在した層状の保水層３Ｃとして構成している。図３では、図２Ａと異なり、複数の植物２ａ（具体的には、図３の左側の植物２ａのみならず、右側の植物２ａ）にも対応できる構成である。つまり、図２Ａの構成では、単一の植物２ａ、或いは、複数の植物２ａの間隔が広いために複数の植物２ａの各々の根２ａが近接することなく生育する場合には有効である。しかしながら、図３のように、比較的近傍に複数の植物２ａが存在する際には、点在する層状の保水層３Ｃが実用的な構成となるためである。すなわち、層状の保水層３Ｃを根２ｂの伸長と垂直方向（深さ方向）にかつ水平方向に点在して配置することにより、複数の植物２ａの根２ｂがそれぞれ独立した保水層３Ｃに接触することができて、それぞれの根２ｂがそれぞれの保水層３Ｃから水を十分に吸収することができる。これに対して、例えば、図２Ａのように水平方向に点在せず１つの保水層３Ｂの場合には、その保水層３Ｂに先に接触した根２ｂは水を十分に吸収できるが、当該保水層３Ｂに後で接触した根２ｂは水を十分に吸収できない可能性がある。図３の保水層３Ｃでは、このような不具合を防止することができる。図３では、深さ方向で深くなるにつれて保水層３Ｃの厚さを大きくして、植物２ａの根２ｂが深さ方向で深くなるにつれて多くの水を十分に吸収しやすくしている。
【００４９】
図１Ａ〜図３のかかる第１実施形態の構成によれば、植物２ａの根２ｂが伸長によって少なくとも一つ以上の保水層３，３Ｂ，３Ｃに到達すると、植物２ａの撥水砂層１の外に面する部分（例えば、地表面３０）に供給された水分が、根２ｂの表面に沿って撥水砂層１中を保水層３，３Ｂ，３Ｃまで給水路４に示すように移動する。保水層３，３Ｂ，３Ｃに水分が到達すると、その水分が保水層３，３Ｂ，３Ｃで蓄えられる。植物２ａの根２ｂは、保水層３，３Ｂ，３Ｃに蓄えられた水分を吸収して育成される。
【００５０】
そして、植物２ａが育成し、根２ｂも成長し、深さ方向の下方に配置された又は水平方向の横方向に配置された次の保水層３，３Ｂ，３Ｃまで到達し、同様に、例えば地表面３０に供給された水分が根２ｂの給水路４を介して保水層３，３Ｂ，３Ｃで蓄えられ、その蓄えられた水分を根２ｂが吸収することが繰り返される。この結果、植物２ａの育成に伴い、根２ｂが、複数の保水層３，３Ｂ，３Ｃの間を繋ぐように、保水層３，３Ｂ，３Ｃに接触していくことになる。このようにして、根２ｂの伸長に応じて、必要な水分を保水層３，３Ｂ，３Ｃに貯蔵し、その水分によって植物２ａが根２ｂを介して吸収できる。つまり、必要最小限の水分供給により（植物２ａが必要とする適切な量の水分のみを、地表面３０側から保水層３，３Ｂ，３Ｃを介して根２ｂに到達させることにより）、植物２ａを育成できる。そして、水分を供給した後は、撥水砂層１は、気化した水分を通過する機能があるため、根２ｂの表面に沿って流れていた水分の内、保水層３，３Ｂ，３Ｃに保水されずに根２ｂに残留した水分に関しては、すぐに撥水砂層１を経由して蒸発して消滅する。逆に、根２ｂには、撥水砂層１を経由して、撥水砂層１の外に面する部分から空気が供給されるため、根２ｂが必要とする空気供給も可能である。
【００５１】
特に、複数の植物２ａを育成する際に、個々の植物２ａの成長速度は異なるケースが多いが、そのような場合にも、個々の根２ｂの伸長に応じて、根２ｂが接触する保水層３，３Ｂ，３Ｃの数が増加し、適切な水分を根２ｂに供給することを実現できるメリットは、実用上、大変に有用である。
【００５２】
なお、図３に示した点在する層状の保水層３Ｃに関して、各保水層３Ｃが横につながり、連続した層状となることでも、ほぼ同様な効果が得られる。
【００５３】
従来の水耕栽培において、植物が必要とする水分と肥料の量に対して、根の存在しない培地にまで水分と肥料とを供給してしまっている無駄な供給に関する課題、及び水分と肥料が植物の根の周辺に過剰に残存することによる根への空気供給不足となる課題があった。
【００５４】
これに対して、第１実施形態では、生育速度が異なる個々の植物２ａに個別に対応して、必要最低限の、水分、又は、水分と肥料とを植物２ａに供給でき、植物２ａの根２ｂへの空気供給も可能とすることができる。その結果、高効率で高品質な水耕栽培を可能とすることができる。
【００５５】
そして、図２Ａに示した保水層３Ｂの構成の場合、個々の植物２ａに対して、平面的に概略同心円状に伸長する根２ｂへの対応が可能で有り、かつ、図１の構成と異なり、根２ｂの生育方向がランダムで予想ができない場合にも、根２ｂが保水層３を確実に通過するので、有効である。
【００５６】
さらに、図３に示した保水層３Ｃの構成の場合、複数の植物２ａに対して、図２Ａの構成と同様に、根２ｂが保水層３を確実に通過して伸長することが可能な点が特徴である。
【００５７】
なお、保水層３，３Ｂ，３Ｃには、予め肥料を内蔵していることでも、同様な効果が得られる。
【００５８】
逆に、保水層３，３Ｂ，３Ｃに供給する水分に、肥料となる成分を含めることで、同様な効果が実行できる。この場合には、さらに、保水層３，３Ｂ，３Ｃを、撥水コーティングしていない通常砂にて構成することでも、同様な効果が得られる。
【００５９】
或いは、保水層３，３Ｂ，３Ｃを、通常砂の内に保水剤を含めた構成でも同様な効果が得られる。
【００６０】
また、保水層３，３Ｂ，３Ｃに肥料となる成分を含めることでも、同様な効果が得られる。供給する水分に、肥料となる成分が無くても、水分により保水層３，３Ｂ，３Ｃ自身が肥料の機能を有することになるためである。
【００６１】
最近では、植物に与える水分又は肥料を適切に最小限に制御することが、十分な水分又は肥料を与える場合よりも、植物の育成が促進されたり、栄養価の高いものが生育できたりする研究も有る。そのためには、植物の育成状況に応じた水分又は肥料の供給量の精度良い制御が課題である。このような課題に対して、第１実施形態を使用することにより、植物の周辺土壌への水分又は肥料の無駄な供給が無くなり、水分又は肥料の定量的な供給の精度も高めることが可能となる。特に、植物の根の周辺に、必要な量の水分又は肥料のみを供給できるため、水分又は肥料の供給量の制御を容易にかつ正確に行うことができる。その理由は、本発明の第１実施形態によれば、従来のように周囲の土壌を経由して水分又は肥料が無駄に制限なく通過することがなくなること、根を経由して十分に供給された後には無駄な水分又は肥料は根に沿って流れ込まないため、必要な供給量を検知し易くなり、その結果、フィードバックして供給量を制御可能となるからである。
【００６２】
なお、砂に撥水コーティングする際の表面処理化合物として、クロロシラン系化合物を使用する場合には、単分子での表面処理が可能で、重複による表面形状の変化等がなく、通常の土壌と同様な植物２ａの育成が可能である。
【００６３】
なお、図１Ａ〜図３のかかる第１実施形態の構成の植物育成用土壌の製作に関して説明する。ここでは、保水層３、３Ｂ、３Ｃの材料として撥水コーティングしていない砂、つまり、通常砂を使用する場合を例にしている。通常砂は、水分により締め固まる性質を有するのが一般的である。水分を含んだ通常砂は、図１Ａの保水層３のような球に近い形、図２Ａの保水層３Ｂのような円弧状の形、又は、図３の保水層３Ｃのような矩形状の形に、締め固めることができる。そこで、図２Ａ及び図３の植物育成用土壌の製作に際しては、下方から上方へ順に、それぞれ層状に、撥水砂の撥水砂層１と、水分を含んで所定の形状に締め固めた通常砂による保水層３Ｂ又は３Ｃとを交互に配置することにより、撥水砂層１と保水層３Ｂ又は３Ｃとが交互に層状に構成された植物育成用土壌を製作できる。
【００６４】
一方、図１Ａの保水層３のように球に近い形状の場合には、あらかじめ撥水砂の中に、球状に締め固めた保水層３を混ぜておけば、上述のように下方から上方に層状に製作しなくても、保水層３を複数有する撥水砂を、保水層３を含む撥水砂層１として配置すればよく、簡単に植物育成用土壌を提供できることが可能となる。
【００６５】
ここで、通常砂を使用しないで水分を保持できる保水層３の一例として、肥料を使用することが有望である。肥料の場合、通常砂と異なり、水分が無くても締め固まって固体としての性質があるものが多い。粒状よりも粒の大きい塊の固形の肥料の場合、置き肥として緩行性のものが多く、植物育成用土壌の製作時には、撥水砂の中にあらかじめ固形の肥料として混入して、混ぜることのみにより、撥水砂層１内で肥料が容易に分散するため、図１Ａの保水層３のような球に近い形での植物育成用土壌の製作が可能である。つまり、固形の肥料を保水層３として使用する場合は、最も容易で効率的でかつ実用的な植物育成用土壌の製作方法の一つと言える。このような方法で製作された植物育成用土壌は、図１Ａにおいて、保水層３が肥料で構成されている場合に相当する。
【００６６】
次に、本発明の第１実施形態における植物育成構造の基本原理説明のための実験について、説明する。図４〜図６には、基本原理説明のための実験装置を示している。
【００６７】
図４〜図５Ｃには、逆円錘形状の容器２０内に、撥水砂層１を設けて、その撥水砂層１の内部に、通常砂（撥水コーティングしていない砂）を使った保水層３を１つ設け、撥水砂層１内を経由して、撥水砂層１の表面と保水層３とを接続するように１本の根２ｂを設置している。逆円錘形状の容器２０としては、ここでは、化学用品のガラス製ロートを使用した。また、根２ｂは、観葉植物であるポトスの根を使用した。また、保水層３は、水分により色が変化することが観察できるように、逆円錘形状の容器２０の内面に接するように設けてあった。撥水砂層１中の根２ｂの長さは約１０ｃｍであった。実験としては、最初に、撥水砂層１の上表面において、根２ｂに位置する部分に、１０ｃｃの水滴２１を置いた。その後、根２ｂの表面沿いに水滴２１が保水層３へ移動したことを、保水層３である通常砂の色変化で確認した。なお、図４〜図５Ｃの根２ｂにおいて、水分が移動している部分は、黒く塗りつぶしている。
【００６８】
この結果、透水しない撥水砂層１であるが、数分で水分の移動が確認できた。通常は、十数ｃｍ水柱程度の水侵入圧を有しており、また後述するように、撥水コーティングした砂に通常砂を約３分の１以下混合した場合にでも、水分の滴下では水分が撥水砂層１内に移動又は侵入することは困難である。水分の滴下から６分後に、保水層３に小さな色変化、つまり、水分の到達が確認された。その後、保水層３で、徐々に色変化した部分が拡大していき、開始から約３０分にて明確に確認できる程度にまで、根２ｂの表面沿いに保水層３への水分移動が観察できた。その後も実験を継続した結果、約３時間後に撥水砂層１の上表面に滴下した水分２１は全て消滅した。蒸発速度から鑑み、全ての水分２１が保水層３に向けて移動したと考えられる。開始から約４時間半後には、設置した保水層３の全ての領域が変色したことを確認できた。なお、根２ｂに沿って水分が移動する様を、模式図的に、図５Ａ、図５Ｂ、図５Ｃの順に示した。図５Ａ〜５Ｃに至るには、上述のように６分の時間が経過している。
【００６９】
なお、その３日後には、保水層３の水分は全て蒸発して消滅していた。保水層３には通常砂を使用していたことと、撥水砂層１中は液状の水分透過は困難であるが、撥水砂層１中を気化した水分等のガスは容易に通過することが予想されており、実際の植物栽培の際には保水層３にはポリマー材料等を使用した保水剤を使用する、或いは、保水層３に蒸発を防止する構成が望まれることも判明した。しかしながら、根２ｂの周辺の水分が早期に蒸発し易いことは逆に、植物２ａの育成に必要な空気を根２ｂに供給できることになり、培地として撥水砂層１を使用する効果は非常に大きい。根腐れ等の生じる心配は無い。なお、本実験では、容器２０の内壁がガラスのため親水性であることから、水分がガラス内壁表面に沿って移動する可能性があるので、撥水砂層１と内壁間を水分がショートカットして移動しないように配慮した構成となっている。
【００７０】
図６には、本発明の前記態様の基本原理の説明のための他の実験装置を示している。図４の実験では、保水層３による水分の吸引作用が働いて水分が移動したことも想定された。しかし、実用上は、保水層３に依存しない、或いは、保水層３に根２ｂが到達しない期間においても、水分を根２ｂに供給する必要がある。しかも、根２ｂは鉛直下向き（深さ方向の下向き）に伸長するだけではなく、特に、根２ｂにある細かい根、つまり根２ｂの表面から根毛（こんもう）と呼ばれる、ごく細かい毛状の突出物が出ているが、根毛の伸長方向は全方向と言える。そこで、図６の実験装置では、保水層３を有せず、しかも水分移動が鉛直下向き以外にも可能か否かを確かめる構成とした。仕切板２２により段差を設けた撥水砂層１をプラスチック容器２３内に設け、根２ｂを高い位置表面２４ａと低い位置の表面２４ｂにそれぞれ出るように設けて、かつ、段差を維持するプラスチック製仕切板２２の下方を迂回した構成とした。つまり、高い位置の撥水砂層１の上表面２４ａにおいて、根２ｂ付近に滴下された水分２１は、撥水砂層１中を根２ｂに沿って移動して、低い位置の撥水砂層１の上表面２４ｂにまで到達できるか否かを実験した。なお、段差は３ｃｍ程度であるが、根２ｂは高い位置から７ｃｍ程度低下してから段差の下を経由して、低い位置の方へ約４ｃｍ上昇しており、根２ｂの撥水砂層１と接する部分の全長は約１５ｃｍであった。
【００７１】
この結果、水分の滴下から約１５分後に、低位置の撥水砂層１の上表面２４ｂの根２ｂに水分がしみてきていることを僅かであるが、目視で確認できた。その後、２時間後に低位置に水分が水滴となるまで増加していた。実験開始から６時間後には、高い位置の水分２１は全て消滅した。なお、本実験では、容器内壁がプラスチックのため撥水性はないことから、水分がプラスチック容器の内壁表面に沿って移動する可能性があるので、撥水砂層１と内壁間を水分がショートカットして移動しないように配慮した構成となっている。保水層３を有しなくとも、また、鉛直方向下向きに限定せず、水分は撥水砂層１中を根２ｂに沿って移動可能であることが確認された。
【００７２】
この際、水分の滴下から約１５分間の根２ｂに沿った水分の移動の様子は、前述の図５Ａから図５Ｂ、図５Ｃと同様であるので、模式図は省略している。
【００７３】
なお、撥水砂層１としては、平均粒径約１５０μｍの豊浦砂に、クロロシラン系のフッ素含有材料により撥水コーティングを行い、純水による接触角測定では約１３０度以上のものを使用しているが、この種類の砂、粒径、又は、表面処理化合物の種類に依存せずに、同様の効果が得られる。なお、例えば、クロロシラン系材料、又は、アルコキシシラン系材料などを用いて撥水コーティングを行っても良い。
【００７４】
なお、撥水砂層１としては、砂の表面に撥水コーティングを行った撥水砂のみを使用しているが、撥水コーティングを行っていない砂を所定の質量比で撥水砂と混合している場合にも、撥水砂のみを使用する場合と同様の効果が得られる。
【００７５】
例えば、平均粒径約１５０μｍの豊浦砂に撥水コーティングを行った撥水砂の、撥水コーティングを行っていない砂への質量混合率（％）を変えた場合に、質量混合率がゼロ％時に−３１．８ｃｍであった水侵入圧（ｃｍ）が、質量混合率が２５％時に−２３．７ｃｍであり、質量混合率が５０％時に−１３．２ｃｍであるとの報告がある。そして、質量混合率が７５％時には＋７．０ｃｍであり、質量混合率が１００％時に＋１２．０ｃｍであった。通常の土壌の場合には水を吸収するので、水侵入圧は負圧であり、撥水砂の場合には十分な圧力を加えないと浸潤が発生しないため、侵入圧は正圧となる。撥水コーティングを行っていない砂が質量混合率で少なくとも２５％程度混合している場合にも、撥水性能を示すことを意味しており、撥水コーティングを行っていない砂が質量混合率で５０％混合した場合には、水を吸収するようになることを示している。これらの結果から近似して、撥水コーティングしていない砂が質量混合率で３０〜３５％程度以下しか混合していない場合、つまり、撥水コーティングしていない砂が全体の質量の約３分の１以下の質量だけ混合している場合には、撥水性能を有する撥水砂層１を形成できる。つまり、撥水砂層１としては、砂の表面に撥水コーティングを行った撥水砂のみを使用しているが、撥水コーティングを行っていない砂を約３分の１以下の質量比で混合している場合にも、同様の効果が得られる。
【００７６】
なお、この質量混合率は、撥水コーティング材料又はコーティング量、砂の粒径等にも依存するため、一定ではない。
【実施例１】
【００７７】
図７Ａに本発明の第１実施形態における植物育成構造の植物を使用した評価結果に関する実施例１を示した。図７Ａは、実際に、植物２ａの例としてニンニク５ａを用いて、複数層の保水層３の砂を有する構成にて実験を行った構成を示した図である。内壁を撥水コーティングを行ったガラス製の２００ｃｃメスシリンダ２５内に、１６０〜２００ｃｃの間を通常砂による保水層（第１保水層）３を設け、その下の１５０〜１６０ｃｃの間に水平に撥水砂層１による層（第１撥水砂）を設けて、その下の１４０〜１５０ｃｃの間に通常砂による保水層（第２保水層）３を設けた。以下、１４０ｃｃより下方１１０ｃｃまでにも同様に、撥水砂（第２撥水砂）１と保水層（第３保水層）３と撥水砂（第３撥水砂）１との層を交互に設けており、１１０ｃｃ以下は全て通常砂による保水層（第４保水層）３を設置した。最上段の１６０〜２００ｃｃの保水層（第１保水層）３には、発根を確認したニンニク５ａを２個、発根した根５ｂを下に向けて、最先端部が１７０ｃｃラインに位置するように置いた。なお、ニンニク５ａを通常砂による保水層３内に埋め込んでいる理由は、実際の栽培の際にも同様に行うことと、根５ｂが伸長する際に、土壌の抵抗による反作用で、ニンニク５ａの本体が土壌から浮き出してしまうことを防止するためである。【００７８】
図７Ｂには、図７Ａに示した構成における評価結果を時間経過毎に示した。実験開始から約３日後に（図７Ｂの（ｃ）参照）、１４０〜１５０ｃｃの間に設けた通常砂のよる第２保水層３が水分により色変化が確認された。根５ｂは水分の無い第１撥水砂層１の中を伸長して、第２保水層３にまで到達した後、給水、或いは最上段の第１保水層３の水分が根５ｂに沿って第１撥水砂層１の中を移動したといえる。なお、容器２５の内壁は撥水コーティングしてあった上、内壁に沿って水分が移動した形跡はなかった。より深い保水層３にまで多段で構成した状況での本発明の前記態様の効果を検証するには、より長期間の栽培による評価が必要である。【００７９】
図７Ｃには、発根後の８日後のニンニク５ａの根５ｂを示している。その後、発芽したが、肥料を与えておらず、図７Ａでの構成における実験は、８日後で完了した。最長の根５ｂの中には、１２０〜１３０ｃｃの間に設けた第３保水層３にまで到達しそうな長さにまで成長したものもあるように観察されるが、撥水砂層１、或いは水分を含んで固くなった保水層３の中では実際には、根５ｂは曲がって生育しているようである。【００８０】
図７Ｄ及び図７Ｅには、本発明の前記態様の特徴の一つである「必要最低限の水分と肥料を供給でき、植物の根への空気供給も可能とすること。」を補足説明する図を示している。図７Ｄは、従来の水補給のイメージ図であり、図７Ｅは本発明の前記態様の水補給のイメージ図を示している。【００８１】
図７Ｄの従来の場合には、全ての砂が通常砂２６であるため、水補給は根がまだ伸張していない領域、或いは、将来も生育しない領域にまで、無駄に水分供給してしまっていた。【００８２】
それに対して、図７Ｅの本発明の前記態様の水補給の場合には、全て撥水砂層１中に、分散して保水層（通常砂）３がある構成の場合、水補給は根２ｂの伸張した範囲内のみとなり、かつその根２ｂの成長度から算出される必要最小量の水分量となるように予測して設定した保水層３に、水分が供給される。図７Ｄ及び図７Ｅでは、通常砂２６及び保水層３などにおいて、水分が存在する部分は、黒く塗りつぶしている。【００８３】
通常、根２ｂへは、水、或いは、水性の肥料の供給以外に、空気の供給が必須であるが、通常砂２６の場合は比較的水はけが良いので、水分が砂中を通過させることを利用しているケースが多い。特に、水耕栽培の中でも、砂を培地として使用する場合（砂栽培とも呼ばれている）、水を繰り返し流すことが必要で、フィルタリング後に循環させたりして、多くの非効率的な手段が実施されている。しかしながら、本発明の第１実施形態においては、水補給は必要最低限のみであり、同時に根２ｂへの空気供給も撥水砂層１経由で非常にスムーズに実施できる点がメリットとして大きいことが分かる。【００８４】
なお、ニンニク５ａは酸性土壌を嫌うので、植える場所に苦土石灰（くどせっかい）を全面散布して耕すことが多い。そこで、図７Ａの実験に際しても、炭酸カルシウムを最上段の通常砂の第１保水層３に混入して実施しているが、発根後の根２ｂの生育への影響は特に観察されていない。撥水砂層１の撥水コーティングにクロロシラン系化合物を使用しているため、若干の塩酸成分の残留による酸性化の可能性も懸念されたためである。【００８５】
なお、前記様々な実施形態又は変形例のうちの任意の実施形態又は変形例を適宜組み合わせることにより、それぞれの有する効果を奏するようにすることができる。【００８６】
以上、本発明を様々な実施形態及び変形例に基づいて説明してきたが、本発明は、前記の様々な実施形態及び変形例に限定されないのはもちろんである。【００８７】
本発明は、添付図面を参照しながら実施形態に関連して充分に記載されているが、この技術の熟練した人々にとっては種々の変形又は修正は明白である。そのような変形又は修正は、添付した請求の範囲による本発明の範囲から外れない限りにおいて、その中に含まれると理解されるべきである。
【産業上の利用可能性】
【００８８】
本発明の前記態様にかかる植物育成構造及び植物育成用土壌は、砂を撥水コーティングすることで形成された撥水砂と、撥水砂の中で根を伸ばして育成する植物を有し、撥水砂内に複数に分散して点在（混在とは違う）した保水層を有し、根が伸長によって少なくとも一つ以上の保水層に到達するよう構成している。よって、植物の撥水砂の外に面する部分に供給された水分及び肥料が、根に沿って撥水砂中を移動し、保水層に到達することにより、根の伸長に応じて、必要な水分及び肥料を保水層に貯蔵し、その水分及び肥料によって植物が根を介して水分を吸収できるようにしている。その結果、生育速度が異なる個々の植物に個別対応して、必要最小限の水分と肥料の供給により植物を育成できると共に、水分と肥料が移動していないときには根の周辺には撥水砂から空気が供給されるので、植物育成構造及び植物育成用土壌としても有用である。本発明にかかる植物育成構造及び植物育成用土壌は、根が発育する任意の植物に対して、必要最低限の水分と肥料とを供給でき、植物の根への空気供給も可能である。
【図１Ａ】
2012164874.tif 000003
【図１Ｂ】
2012164874.tif 000004
【図１Ｃ】
2012164874.tif 000005
【図１Ｄ】
2012164874.tif 000006
【図１Ｅ】
2012164874.tif 000007
【図１Ｆ】
2012164874.tif 000008
【図２Ａ】
2012164874.tif 000009
【図２Ｂ】
2012164874.tif 000010
【図３】
2012164874.tif 000011
【図４】
2012164874.tif 000012
【図５Ａ】
2012164874.tif 000013
【図５Ｂ】
2012164874.tif 000014
【図５Ｃ】
2012164874.tif 000015
【図６】
2012164874.tif 000016
【図７Ａ】
2012164874.tif 000017
【図７Ｂ】
2012164874.tif 000018
【図７Ｃ】
2012164874.tif 000019
【図７Ｄ】
2012164874.tif 000020
【図７Ｅ】
2012164874.tif 000021
【図８Ａ】
2012164874.tif 000022
【図８Ｂ】
2012164874.tif 000023
【図８Ｃ】
2012164874.tif 000024
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
砂の表面を撥水コーティングした撥水砂で構成される撥水砂層と、
前記撥水砂層の内部に、前記撥水砂層の深さ方向に点在して配置されかつ水分を保持可能な複数の保水層と、
前記撥水砂層内に根を有し、前記根が前記複数の保水層の間を繋ぐように、前記保水層に接触している植物とを備える、植物育成構造。
【請求項２】
前記複数の保水層のうち、前記植物の前記根が接触している前記保水層には、前記撥水砂層の外部から前記植物に供給されて前記植物の前記根を伝って移動した水分が保持されている、請求項１に記載の植物育成構造。
【請求項３】
前記保水層には、肥料となる成分が含まれている、請求項１又は２に記載の植物育成構造。
【請求項４】
前記保水層の前記水分には、肥料となる成分が含まれている、請求項１〜３のいずれか１つに記載の植物育成構造。
【請求項５】
前記保水層は、撥水コーティングしていない砂で構成されている、請求項１〜４のいずれか１つに記載の植物育成構造。
【請求項６】
前記各保水層が、前記深さ方向に対して、下向き凸の円弧状に形成されている、請求項１〜５のいずれか１つに記載の植物育成構造。
【請求項７】
前記保水層が、前記深さ方向に対して、点在する層状に形成されている、請求項１〜５のいずれか１つに記載の植物育成構造。
【請求項８】
前記撥水砂層の表面の前記植物を植えた部分に、水分供給用の凹部を有している、請求項１〜７のいずれか１つに記載の植物育成構造。
【請求項９】
前記撥水砂層は、前記砂の表面を撥水コーティングした前記撥水砂に加えて、撥水コーティングしていない砂を混合して構成されている、請求項１〜８のいずれか１つに記載の植物育成構造。
【請求項１０】
砂の表面を撥水コーティングした撥水砂で構成される撥水砂層と、
前記撥水砂層の内部に、前記撥水砂層の深さ方向に点在して配置されかつ水分を保持可能な複数の保水層とを有する土壌であり、
前記保水層は、前記撥水砂層内の植物の根が前記複数の保水層の間を繋ぐように伸びて接触し、前記撥水砂層の外部から前記植物に供給されて前記植物の前記根を伝って移動した水分を保持する、植物育成用土壌。
【請求項１１】
前記撥水砂層は、前記砂の表面を撥水コーティングした前記撥水砂に加えて、撥水コーティングしていない砂を混合して構成されている、請求項１０に記載の植物育成用土壌。
【国際調査報告】
2012164874.tif 000025
2012164874.tif 000026
2012164874.tif 000027
2012164874.tif 000028